(57)【要約】【課題】  簡便にコミュニケーションをとることができる手書き情報の伝送システムを提供すること。【解決手段】  デジタルペン１１は、用紙１２に筆記した手書き情報を取得し、手書き情報をデジタルペン１１の識別情報と共に携帯電話１３に対して送信する。携帯電話１３は、モデムとして働き、デジタルペン１１からの手書き情報及び識別情報をネットシステム１５に対して送信する。ネットシステム１５は、携帯電話１３より送信された手書き情報を、受信したペンの識別情報が予め登録されたペンの識別情報が一致した場合にのみ指定された宛先に電子メールにより送信する。【選択図】  図１
2006031357.tif 000002
【特許請求の範囲】
【請求項１】
ペンと、前記ペンと通信可能に接続された端末と、前記端末と通信可能に接続された処理システムとを備えた手書き情報の伝送システムであって、
前記ペンは、用紙に筆記した手書き情報を取得し、手書き情報を前記ペンの識別情報と共に前記端末に対して送信する手段を備え、
前記端末は、前記ペンから送信された手書き情報及びペンの識別情報を受信する手段と、受信した前記手書き情報及びペンの識別情報を前記処理システムに対して送信する手段と、
前記処理システムは、前記端末より送信された手書き情報とペンの識別情報を受信する受信手段と、ペンの識別情報を予め登録し格納する記憶手段と、前記受信手段により受信されたペンの識別情報と前記記憶手段に格納されたペンの識別情報が一致するかを判定する手段と、判定の結果、両者が一致した場合にのみ受信した手書き情報を指定された宛先に送信する送信手段を備えた手書き情報の伝送システム。
【請求項２】
前記処理システムの送信手段は、手書き情報を画像情報に変換する手段と、指定された宛先に電子メールにより変換された画像情報を送信する手段を備えたことを特徴とする請求項１記載の手書き情報の伝送システム。
【請求項３】
前記処理システムの前記記憶手段は、さらに用紙に定義した領域情報を格納し、前記送信手段は、前記端末より受信した手書き情報と前記記憶手段に格納された領域情報に基づいて領域ごとに手書き情報を切り出し、特定の領域に筆記された情報のみ、指定された宛先に送信することを特徴とする請求項１又は２記載の手書き情報の伝送システム。
【請求項４】
ペンと、前記ペンと通信可能に接続された携帯電話機と、前記携帯電話機と通信可能に接続されたサーバーとを備えた手書き情報の伝送システムであって、
前記ペンは、前記携帯電話機に対して当該ペンと前記サーバーとがデータ通信できる状態への設定要求を行う手段と、用紙に筆記した手書き情報を取得し、手書き情報を前記ペンの識別情報と共に前記携帯電話機に対して送信する手段を備え、
前記携帯電話機は、前記設定要求に応じて前記ペンと前記サーバーとがデータ通信できる状態へ設定する手段と、前記ペンから送信された手書き情報及びペンの識別情報を受信する手段と、受信した前記手書き情報及びペンの識別情報を前記サーバーに対して送信する手段と、
前記サーバーは、前記携帯電話機より送信された手書き情報とペンの識別情報を受信する受信手段と、ペンの識別情報を予め登録し格納する記憶手段と、前記受信手段により受信されたペンの識別情報と前記記憶手段に格納されたペンの識別情報が一致するかを判定する手段と、判定の結果、両者が一致した場合にのみ受信した手書き情報を指定された宛先に電子メールにより送信する送信手段を備えた手書き情報の伝送システム。
【請求項５】
前記サーバーの送信手段は、指定領域に書いた手書き情報を画像情報とし、電子メールの添付ファイル機能を使って送信することを特徴とする請求項４記載の手書き情報の伝送システム。
【請求項６】
前記ペンと前記携帯電話機間の通信は、Bluetooth方式により実行されることを特徴とする請求項４又は５記載の手書き情報の伝送システム。
【請求項７】
前記ペンにより筆記される用紙は確認領域を備え、
前記サーバーは、前記ペンによって前記確認領域に筆記された場合に、このペンと通信可能に接続された携帯電話機に対して、メッセージ情報である手書き情報を画像情報として送信することを特徴とする請求項４、５又は６記載の手書き情報の伝送システム。
【請求項８】
前記ペンにより筆記される用紙は、宛先登録領域と、宛先を入力するための文字入力領域を備え、
前記ペンは、手書き情報を時系列的に座標情報として送信する手段を有し、
前記サーバーは、前記ペンによって前記宛先登録領域に筆記された情報から登録の識別情報を導出し、前記文字入力領域に筆記された情報から宛先アドレスを導出し、当該登録の識別情報と当該宛先アドレスを前記ペンの識別情報により特定される領域に登録することを特徴とする請求項４乃至７いずれかに記載の手書き情報の伝送システム。
【請求項９】
前記ペンにより筆記される用紙は、宛先削除領域を備え、
前記サーバーは、前記ペンによって前記宛先削除領域に筆記された場合に、特定の宛先を削除する手段を備えたことを特徴とする請求項８記載の手書き情報の伝送システム。
【請求項１０】
前記ペンにより筆記される用紙は、取消領域を備え、
前記サーバーは、前記ペンによって前記取消領域に筆記された場合には、当該取消領域に筆記したときよりも前に筆記した情報を無効とし、当該取消領域に筆記したときよりも後に筆記した情報を有効とする手段を備えたことを特徴とする請求項４乃至９いずれかに記載の手書き情報の伝送システム。
【請求項１１】
前記サーバーは、電子メールの受信機能を有し、受信した電子メールから、前記ペンの識別情報、手書き情報の送信先を特定する宛先情報を取得し、当該ペンの識別情報により特定される領域に宛先情報を格納することを特徴とする請求項４乃至１０いずれかに記載の手書き情報の伝送システム。
【請求項１２】
前記サーバーは、受信した電子メールの件名に登録を示す情報が含まれる場合は、前記ペンの識別情報により特定される領域に宛先情報を登録し、受信した電子メールの件名に削除を示す情報が含まれる場合には、前記ペンの識別情報により特定される領域の宛先情報を削除することを特徴とする請求項１１記載の手書き情報の伝送システム。
【請求項１３】
前記ペンにより筆記される用紙は、ファクシミリ番号指定領域を備え、
前記サーバーは、前記ペンによって前記ファクシミリ番号指定領域に筆記された場合には、前記手書き情報を指定されたファクシミリ番号にファックス送信する手段を有することを特徴とする請求項４乃至１１いずれかに記載の手書き情報の伝送システム。
【発明の詳細な説明】
【技術分野】
【０００１】
本発明は、手書き情報の伝送システムに関する。
【背景技術】
【０００２】
従来から、誰もが普通に使っている紙とペンだけを用いて、離れた人にすぐメッセージを伝えたいという要望があった。この日常的な要望を簡単に実現することができなかったが、近年、ペン型の入力装置が開発されるに至った。このようなペン型の入力装置は多種多様であり、いずれの入力装置でも、専用ペンと特別な装置とによって入力が行われる。
その一例として、ペンの位置（座標）を検出する手段を備えたタブレットがある。このタブレットでは、専用ペンとタブレット面との接点の各時刻における座標値の時系列データにより手書き情報が表されている。タブレットの他に、光や超音波の送受信手段を備えたモジュールにより、専用のタブレットを使わずに通常の紙面やボード面上等でのペンの位置を検出する方式も提案されている。また、他の一例として、紙面等に特殊なパタンやマークを作り付け、これらのマークやパタンをペンで検出することによって、ペンの位置を検出する方式もある（特許文献１参照）。
【０００３】
他方、携帯電話の発展と電子メールの普及により、携帯電話から簡単にメールを送ることができるようになった。この携帯電話のメール送受信機能は大変便利であるが、その反面、活字でのやり取りであるため、気持ちを正しく伝えにくいという側面がある。また、高齢者などは、携帯電話で文字を入力するのが難しく、デジタルデバイドと言われて便利な道具を有効に使えない人々も多く存在する。
【特許文献１】特開２００２−２５９０３８号公報
【発明の開示】
【発明が解決しようとする課題】
【０００４】
このように、従来の手書き情報の伝送システムでは、ペンで紙を用いるのに比べて、デジタル製品を操作するのが難しいため、簡便にコミュニケーションをとることができないという問題点があった。
本発明は、このような問題点を解決するためになされたもので、簡便にコミュニケーションをとることができる手書き情報の伝送システムを提供することを目的とする。
【課題を解決するための手段】
【０００５】
本発明にかかる手書き情報の伝送システムは、ペンと、前記ペンと通信可能に接続された端末と、前記端末と通信可能に接続された処理システムとを備えた手書き情報の伝送システムであって、前記ペンは、用紙に筆記した手書き情報を取得し、手書き情報を前記ペンの識別情報と共に前記端末に対して送信する手段を備え、前記端末は、前記ペンから送信された手書き情報及びペンの識別情報を受信する手段と、受信した前記手書き情報及びペンの識別情報を前記処理システムに対して送信する手段と、前記処理システムは、前記端末より送信された手書き情報とペンの識別情報を受信する受信手段と、ペンの識別情報を予め登録し格納する記憶手段と、前記受信手段により受信されたペンの識別情報と前記記憶手段に格納されたペンの識別情報が一致するかを判定する手段と、判定の結果、両者が一致した場合にのみ受信した手書き情報を指定された宛先に送信する送信手段を備えたものである。
【０００６】
ここで、前記処理システムの送信手段は、手書き情報を画像情報に変換する手段と、指定された宛先に電子メールにより変換された画像情報を送信する手段を備えることが望ましい。
【０００７】
前記処理システムの前記記憶手段は、さらに用紙に定義した領域情報を格納し、前記送信手段は、前記端末より受信した手書き情報と前記記憶手段に格納された領域情報に基づいて領域ごとに手書き情報を切り出し、特定の領域に筆記された情報のみ、指定された宛先に送信することが好ましい。
【０００８】
本発明にかかる他の手書き情報の伝送システムは、ペンと、前記ペンと通信可能に接続された携帯電話機と、前記携帯電話機と通信可能に接続されたサーバーとを備えた手書き情報の伝送システムであって、前記ペンは、前記携帯電話機に対して当該ペンと前記サーバーとがデータ通信できる状態への設定要求を行う手段と、用紙に筆記した手書き情報を取得し、手書き情報を前記ペンの識別情報と共に前記携帯電話機に対して送信する手段を備え、前記携帯電話機は、前記設定要求に応じて前記ペンと前記サーバーとがデータ通信できる状態へ設定する手段と、前記ペンから送信された手書き情報及びペンの識別情報を受信する手段と、受信した前記手書き情報及びペンの識別情報を前記サーバーに対して送信する手段と、前記サーバーは、前記携帯電話機より送信された手書き情報とペンの識別情報を受信する受信手段と、ペンの識別情報を予め登録し格納する記憶手段と、前記受信手段により受信されたペンの識別情報と前記記憶手段に格納されたペンの識別情報が一致するかを判定する手段と、判定の結果、両者が一致した場合にのみ受信した手書き情報を指定された宛先に電子メールにより送信する送信手段を備えたものである。
【０００９】
ここで、前記サーバーの送信手段は、指定領域に書いた手書き情報を画像情報とし、電子メールの添付ファイル機能を使って送信するとよい。
【００１０】
好適な実施の形態によれば、前記ペンと前記携帯電話機間の通信は、Bluetooth方式により実行される。
【００１１】
また、前記ペンにより筆記される用紙は確認領域を備え、前記サーバーは、前記ペンによって前記確認領域に筆記された場合に、このペンと通信可能に接続された携帯電話機に対して、メッセージ情報である手書き情報を画像情報として送信することが望ましい。
【００１２】
前記ペンにより筆記される用紙は、宛先登録領域と、宛先を入力するための文字入力領域を備え、前記ペンは、手書き情報を時系列的に座標情報として送信する手段を有し、前記サーバーは、前記ペンによって前記宛先登録領域に筆記された情報から登録の識別情報を導出し、前記文字入力領域に筆記された情報から宛先アドレスを導出し、当該登録の識別情報と当該宛先アドレスを前記ペンの識別情報により特定される領域に登録することが望ましい。
【００１３】
また、前記ペンにより筆記される用紙は、宛先削除領域を備え、前記サーバーは、前記ペンによって前記宛先削除領域に筆記された場合に、特定の宛先を削除する手段を備えるとよい。
【００１４】
そして、前記ペンにより筆記される用紙は、取消領域を備え、前記サーバーは、前記ペンによって前記取消領域に筆記された場合には、当該取消領域に筆記したときよりも前に筆記した情報を無効とし、当該取消領域に筆記したときよりも後に筆記した情報を有効とする手段を備えるようにしてもよい。
【００１５】
また、前記サーバーは、電子メールの受信機能を有し、受信した電子メールから、前記ペンの識別情報、手書き情報の送信先を特定する宛先情報を取得し、当該ペンの識別情報により特定される領域に宛先情報を格納するようにしてもよい。
【００１６】
さらに、前記サーバーは、受信した電子メールの件名に登録を示す情報が含まれる場合は、前記ペンの識別情報により特定される領域に宛先情報を登録し、受信した電子メールの件名に削除を示す情報が含まれる場合には、前記ペンの識別情報により特定される領域の宛先情報を削除することが望ましい。
【００１７】
また、前記ペンにより筆記される用紙は、ファクシミリ番号指定領域を備え、前記サーバーは、前記ペンによって前記ファクシミリ番号指定領域に筆記された場合には、前記手書き情報を指定されたファクシミリ番号にファックス送信する手段を有することが望ましい。
【発明の効果】
【００１８】
本発明によれば、簡便にコミュニケーションをとることができる手書き情報の伝送システムを提供することができる。
【発明を実施するための最良の形態】
【００１９】
以下、本発明を実施するための最良の形態について図を参照しながら説明する。本実施形態においては、本発明に係る手書き情報の伝送システムの一例として、手書きされたメールを送受信する手書きメール伝送システムについて説明する。以下、この手書きメール伝送システムを単にシステムと略する。
【００２０】
尚、以下、発明の実施の形態１，２において、本発明に係るシステムの概略構成について説明し、発明の実施の形態３，４，５において、本発明に係るシステムの具体構成について説明する。
さらに、発明の実施の形態６においては、発明の実施の形態３，４，５におけるシステムが行う具体的な処理動作の他の一例である。また、発明の実施の形態７，８においては、これらのシステムで用いられるアドレス登録フォーム、メール送信フォームの例について説明する。なお、発明の実施の形態９は、本発明に係るシステムの他の具体構成である。
【００２１】
発明の実施の形態１．
図１の模式図に、本発明に係るシステムの概略構成の一例が示されている。図１に示すように、本発明に係るシステム１は、デジタルペン（以下、単にペンと略す）１１、アノト用紙（以下、単に用紙と略す）１２、第１の携帯電話１３、第２の携帯電話１４、ネットワークシステム（以下、ネットシステムと略す）１５を備えている。各構成要素の詳細については、発明の実施の形態３，４，５において具体的に説明する。
【００２２】
図１に示すように、本発明に係るシステム１において、ペン１１は、ペンの識別情報であるペンＩＤとして「ＡＪＸ−ＡＡＡ−ＣＺＵ−ＢＰ」が割り当てられ、当該ペン１１の記憶手段に格納されている。ユーザーは、このペン１１を用いて用紙１２に文字、絵、図形、記号等を筆記する。このユーザーが筆記したデータと、ペンＩＤは、第１の携帯電話１３を介して、ネットシステム１５に送信される。ネットシステム１５がこの手書き情報及びペンＩＤを受信すると、ネットシステム１５内のアプリケーションプログラムは、ペンＩＤを取得し、手書き情報をこのペンＩＤと関連付けて所定の記憶手段に保存する。
【００２３】
続いて、ペンＩＤが「ＡＪＸ−ＡＡＡ−ＣＺＵ−ＢＰ」のペン１１から、データの転送要求が第１の携帯電話１３を介してネットシステム１５に対して送信される。ネットシステム１５は、アプリケーションプログラムによって、当該データの転送要求を受信し、ペンＩＤが「ＡＪＸ−ＡＡＡ−ＣＺＵ−ＢＰ」に関連付けられて保存された手書き情報を、指定した通信相手である第２の携帯電話１４に送信する。
【００２４】
このように、本発明に係るシステム１においては、ペンＩＤと関連付けられた手書き情報のみを送信することができる。そのため、特定のペンＩＤと関連付けられた手書き情報と、他のペンＩＤと関連付けられた、他者が使用しているデータとが混同するのを回避することができる。さらに、他者から手書き情報がアクセスされたり他者の手書き情報へアクセスしたりすることを防止でき、データの秘匿性を高めることができる。
【００２５】
発明の実施の形態２．
発明の実施の形態２においては、ペン１１のペンＩＤに携帯電話１３の電話番号をリンクさせた場合について概略的に説明する。
図２の模式図に、本実施形態におけるシステムの概略構成の一例が示されている。図２に示すように、本実施形態におけるシステム１は、発明の実施の形態１と同様の構成を有し、その詳細については、発明の実施の形態３，４，５において具体的に説明する。
【００２６】
図２に示すように、本実施形態におけるシステム１において、ペン１１は、ペンＩＤとして「ＡＪＸ−ＡＡＡ−ＣＺＵ−ＢＰ」が割り当てられ、当該ペン１１の記憶手段に格納されている。また、第１の携帯電話１３の電話番号が「０９０１１１１２２２２」であったとする。ユーザーは、このペン１１を用いて用紙１２に文字、絵、図形、記号等を筆記する。ユーザーが筆記した手書き情報とペンＩＤは、第１の携帯電話１３を介して、ネットシステム１５に送られる。
【００２７】
ネットシステム１５がこれらのデータを受信すると、ネットシステム１５内のアプリケーションプログラムは、ペンＩＤを取得する。それとともに、ネットシステム１５内のアプリケーションプログラムは、第１の携帯電話１３の電話番号「０９０１１１１２２２２」を取得し、受信した手書き情報を、取得したペンＩＤと携帯電話１３の電話番号と関連付けて所定の記憶手段に保存する。
【００２８】
ペンＩＤが「ＡＪＸ−ＡＡＡ−ＣＺＵ−ＢＰ」のペン１１から、電話番号が「０９０１１１１２２２２」の第１の携帯電話１３を介して、データの転送要求がネットシステム１５内のアプリケーションプログラムに対して送信されたものとする。この場合、アプリケーションプログラムは、「ＡＪＸ−ＡＡＡ−ＣＺＵ−ＢＰ」のペンＩＤ、「０９０１１１１２２２２」の電話番号の双方と関連付けられて保存された手書き情報を、指定の第２の携帯電話１４に送信する。
【００２９】
このように、本実施形態のシステム１においては、ペン１１からのデータを、ペンＩＤとともに第１の携帯電話１３の電話番号と関連付けて（リンクして）保存している。それ故、特定のペン１１及び特定の携帯電話１３からのアクセスのみを有効とすることができる。従って、他者にペン１１を貸した場合でも、他者が本人のデータにアクセスするのを防止することができる。これによって、このデータと他者が使用しているデータとが混同回避するのを回避することができるだけでなく、他者からの手書き情報へのアクセス、あるいは他者の手書き情報に対するアクセスを防止でき、データの秘匿性を高めることができる。
【００３０】
発明の実施の形態３．
まず、図３を用いて、本発明に係るシステム１の全体構成について具体的に説明する。図３は、本発明に係るシステム１の具体構成の一例を示す模式図である。
【００３１】
本発明に係るシステム１は、ペン１１、用紙１２、携帯電話１３、携帯電話１４及びネットシステム１５を備えている。ネットシステム１５では、携帯電話１３と接続された携帯電話通信システム１５０、ＡＳＨ（Application Service Handler）サーバー１５３、ＧＰＬＳ（Global Paper Look-up Service）サーバー１５４、携帯電話通信システム１５５が通信網であるインターネット１５６を介して相互に接続されている。携帯電話通信システム１５０は、相互に接続された携帯電話基地局１５１及びＩＳＰ（Internet Service Provider）サーバー１５２を備えている。
【００３２】
ペン１１は、ユーザーが手書きによって入力するための入力手段である。さらに、ペン１１は、用紙１２に手書きで入力するために、超小型カメラ等の撮影手段を有する。ペン１１は、携帯電話１３と無線通信するためのBluetooth通信機能を有する。このペン１１は、固有のペンＩＤ等、システム１がメール転送を行うための各種情報を記憶手段に格納している。
【００３３】
ここで、図４を用いて、ペン１１のハードウェア構成の概略について説明する。このペン１１は、携帯電話やパーソナルコンピュータと、例えばBluetooth（登録商標）等を用いて無線により接続されるが、ＵＳＢ（Universal Serial Bus）等を用いて有線により接続されていてもよい。また、ペン１１は、用紙１２のパタン面１２１上に通常の方法で文字や絵、図等を手書きし、同時に手書きした情報をＰＣに送信する。パタン面１２１には、後述する特定の符号パタンが設けられている。
ペン１１は、図４に示されるように、ボールペン１１０、筆圧センサ１１２、光学モジュール１１３、信号処理部１１５、制御部１１６、スイッチ１１７、メモリ１１８、バッテリー１１９及び通信制御部１２０を備えている。また、ペン１１は、文字や図等を書くことができればよく、ペンの形に限らず、任意の形でもよい。
【００３４】
ボールペン１１０は、筆記手段であり、一端にペン先１１１を有し、他端を筆圧センサ１１２と接触している。ボールペン１１０の内部には、インクが充填されている。このインクの材料や色は、用紙１２上の符号パタンの読み取りに影響のないものであれば、特に限定されないが、赤外線を吸収するもの、例えば、カーボン等ではないことが好ましい。また、ボールペン１１０は、通常のボールペンと同様に、用紙１２又は通常の用紙にも、文字等を書くことができる。さらに、ボールペン１１０は、ボールペンに限らず、蛍光ペン、サインペン、万年筆等でもよい。
【００３５】
筆圧センサ１１２は、ボールペン１１０と接触しており、例えば、信号処理部１１５と接続されている。筆圧センサ１１２は、後述するようにボールペン１１０の筆圧を検出し、信号処理部１１５へ出力する。また、筆圧センサ１１２は、ボールペン１１０の筆圧を検出できるものであればよく、圧力センサ等の接触型センサでもよいし、光センサや超音波センサ等の非接触型センサでもよい、非接触型センサであれば、ボールペン１１０とは接触しなくてもよい。さらに、筆圧センサ１１２は、筆圧に限らず、ボールペン１１０のインクの量などを検出してもよい。
【００３６】
光学モジュール１１３は、例えば、信号処理部１１５と接続されている。光学モジュール１１３は、後述するようにペン先１１１の近傍である検出範囲１１４の符号パタンを光学的手段により検出し、信号処理部１１５へ出力する。また、光学モジュール１１３は、検出範囲１１４の符号パタンを検出できるものであればよく、例えば、ＣＭＯＳカメラ、ＣＣＤカメラ、発光素子と受光素子等でもよい。さらに、光学モジュール１１３は、符号パタンに限らず、ペン先１１１とパタン面の距離や、ボールペン１１０の角度などを検出してもよい。尚、光学モジュール１１３は、ペン先１１１がパタン面から約５ｍｍ離れていても符号パタンを検出できる性能を備えていることが好ましいが、これに限定されるものではない。
【００３７】
信号処理部１１５は、例えば、筆圧センサ１１２、光学モジュール１１３、制御部１１６及びメモリ１１８と接続されている。信号処理部１１５は、後述するように正規化部やデコーダ部、ＡＤＣ等を備えており、筆圧センサ１１２の検出信号をデジタル信号に変換したり、光学モジュール１１３の検出信号を復号したりする。また、信号処理部１１５は、変換・復号した信号を制御部１１６やメモリ１１８へ出力する。
【００３８】
制御部１１６は、例えば、信号処理部１１５、スイッチ１１７及びメモリ１１８と接続されている。制御部１１６は、例えば、スイッチ１１７のＯＮ／ＯＦＦに応じて、ペン１１全体の電源のＯＮ／ＯＦＦを制御してもよい。また、制御部１１６は、信号処理部１１５からの信号等をメモリ１１８へ出力する。
スイッチ１１７は、例えば、制御部１１６と接続されている。スイッチ１１７は、電源スイッチでもよいし、筆圧センサ１１２や光学モジュール１１３の検出のためのスイッチ、通信制御部１２０が通信するためのスイッチ等としてもよい。
【００３９】
メモリ１１８は、例えば、信号処理部１１５及び制御部１１６と接続されている。メモリ１１８は、後述するように信号処理部１１５や制御部１１６から入力された情報を格納し、格納した情報を通信制御部１２０へ出力する。メモリ１１８は、信号処理部１１５や制御部１１６から入力された情報を記憶できるものであればよく、ＲＡＭやＥＥＰＲＯＭ、メモリーカード等でもよい。
バッテリー１１９は、ペン１１の各要素に動作電力を供給するものである。バッテリー１１９は、乾電池等の一次電池でもよいし、リチウムイオン電池等の二次電池でもよく、さらに、別の装置やＵＳＢ等の電力供給能力を有するインタフェースでもよい。
【００４０】
通信制御部１２０は、例えば、メモリ１１８と接続されている。通信制御部１２０は、後述するようにメモリ１１８から入力された情報を、無線あるいは有線通信によりＰＣ等へ送信する。通信制御部１２０は、ＰＣ等と通信接続できるものであればよく、無線接続の場合、Bluetooth等による通信を可能とする通信制御回路や無線アンテナ等でもよいし、有線接続の場合、ＵＳＢ等による通信を可能とする通信制御回路や通信ポート等でもよい。尚、上述したそれぞれの構成要素は、その具体的方式や実現手段は特定のものに限定されない。
【００４１】
図５に、ペン１１に設定された情報の一例が示されている。図５に示すように、ペン１１内部には、例えば、ペン１１に設定できる情報２００として個人情報２１０、ＩＳＰ設定情報２２０が設定されている。個人情報２１０は、このペン１１を使用するユーザーに関する情報である。その一例として、ユーザーの名前２１１、第１の携帯電話１３のメールアドレス２１２、第１の携帯電話１３の電話番号２１３、フィードバック言語２１４等がある。
ＩＳＰ設定情報２２０は、ＩＳＰに接続するために必要な情報であり、データ通信のためにＩＳＰサーバー１５２に接続する場合に使用される。その一例として、電話番号２２１、ユーザー名２２２、パスワード２２３、ＤＮＳアドレス２２４等がある。
【００４２】
用紙１２は、アノト方式のデジタイジング方式が採用された電子ペーパーの一例である。この方式は、スウェーデンの会社であるＡｎｏｔｏ社が開発したデジタイジング方式である。具体的には、アノト方式では、用紙に０.３ｍｍの格子の交点から僅かにずらして点を印刷し、この点をペン１１に設けられた超小型カメラによって撮影する。アノト方式では、６点×６点つまり３６個の点の格子からのずれ方により、絶対座標を算出するデジタイジング方式である。
用紙１２は、筆記面であるパタン面１２１に符号パタン１２２が印刷されている。また、用紙１２は、紙に限らず、木やプラスチック板、ガラス等でもよい。
【００４３】
符号パタン１２２は、図６に示すように、格子状に配置された複数のドット１２３から構成されている。ドット１２３は、光学モジュール１１３で認識できればよく、人間の視覚により認識できなくてもよいし、例えば、カーボンインク等により印刷されていてもよい。例えば、ドット１２３の直径は０．１ｍｍであり、格子の間隔は０．３ｍｍであるが、その他の任意の値でもよい。
図６に示すように、ドット１２３は、格子の位置から上下左右にずれて配置されてもよい。例えば、上下左右にずれたドット１２３にそれぞれ、"０"、"１"、"２"、"３"と４つの符号、つまり２進数における２ビットの符号と等価となる。例えば、パタンの符号語が、縦×横で６×６の符号とすると、６×６×２ビット、つまり符号語当たり７２ビットの値を表すことができる。
そして、この符号パタン１２２によって示される唯一の符号パタンからＸ軸座標及びＹ軸座標の座標データを表すことにより、用紙１２の絶対的な位置等を検出することができる。また、符号パタン１２２は、座標データに限らず、用紙１２の情報を含んでいてもよい。尚、符号パタン１２２は、ペン先１１１の位置座標を検出できるものであれぱ特定の符号方式・符号パタンおよびその記録方法やパタンの検出方法には制限されるものではない。
【００４４】
ペン１１は、毎秒５０枚から７０枚の画像を撮影し、その時の座標値を送信する。用紙１２には、異なった座標空間の点列を印刷することにより、用紙１２の区別を絶対アドレスで行うことができる。これを利用して、ペーパールックアップという機能が実現されている。この機能は、ペンから送られてきた用紙の座標データを分析し、絶対アドレスから用紙１２にアサインしたアプリケーションを特定する。これにより、紙とペンだけでアプリケーションを特定することができるため、今までのように用紙（内容）によってアプリケーションを切り替えるという必要がなくなる。
【００４５】
携帯電話１３，１４は、データ転送に使用される通信端末の一例である。この通信端末は、携帯電話に限定する必要はなく、ネットシステム１５との通信機能を有する端末であればよい。また、携帯電話１３は、ペン１１と無線通信するためのBluetooth通信機能を有する。
ネットシステム１５は、携帯電話１３，１４間において、ペン１１によって手書きされたデータを転送するシステムである。具体的には、このネットシステム１５は、携帯電話基地局１５１、第２の携帯電話通信システム１５５、ＡＳＨサーバー１５３、ＧＰＬＳサーバー１５４、ＩＳＰサーバー１５２、インターネット１５６を有する。
携帯電話通信システム１５０は、ＮＴＴＤｏｃｏｍｏ（登録商標）やＡＵ（ＫＤＤＩ）（これらは登録商標である）、Ｖｏｄａｆｏｎｅ（登録商標）のような携帯電話１３，１４を使った通信サービスを提供している会社のシステムである。携帯電話基地局１５１は、第１の携帯電話１３の無線通信を中継する中継基地である。携帯電話通信システム１５５は、携帯電話通信システム１５０と同様の通信サービスを提供する会社のシステムである。
【００４６】
ＡＳＨサーバー１５３は、アプリケーションプログラムを適宜ＲＡＭ上にロードし、当該アプリケーションプログラムに従った処理をＣＰＵが実行することにより、ペン１１のペンＩＤごとに情報の管理を行う。図７に、ＡＳＨサーバー１５３においてアプリケーションプログラムが管理する管理情報の一例が示されている。
ＡＳＨサーバー１５３は、例えば、管理情報２５０としてペンＩＤ２５１を保持している。ペンＩＤ２５１の下位には、個人情報２５２、登録メールアドレス２５３が配置されている。個人情報２５２には、ペン１１の内部情報の個人情報から読み出された名前２１１、メールアドレス２１２、フィードバック言語２１４が、名前２６１、メールアドレス２６２、フィードバック言語２６３にそれぞれ設定される。登録メールアドレス２５３に、送信先メールアドレス２７１〜２７５が個別に設定される。
【００４７】
ＡＳＨサーバー１５３のアプリケーションプログラムは、ペン１１から携帯電話１３、携帯電話通信システム１５０、インターネット１５６を介して取得したペンＩＤを参照し、管理情報として記憶手段に格納されたペンＩＤ２５１との照合を行う。両ペンＩＤが合致した場合には、ペンＩＤ２５１と関連付けられた個人情報２５２、登録メールアドレス２５３を利用することができる。また、携帯電話番号は、使用する第１の携帯電話１３がデータ転送のためにダイヤリングを行うときにネットシステム１５に伝えられ、ＡＳＨサーバー１５２のアプリケーションで参照することにより特定することが可能である。
インターネット１５６は、通信網の一例である。ＡＳＨサーバー１５３、ＧＰＬＳサーバー１５４、ＩＳＰサーバー１５２は、このインターネット１５６に接続され、インターネット１５６を介して相互に通信する。
【００４８】
次に、本発明に係るシステム１の動作処理について説明する。ここでは、適宜図８を参照しながら説明する。
利用者は、各種情報が設定されたペン１１を使い、図８に示される用紙１２にメッセージや相手先のアドレス情報等の各種記入事項を手書きする。用紙１２には、図８に示されるように、様々な機能を表す表記が印刷されている。
利用者は、この記入後、用紙１２の送信領域３０６の「送信」マークをチェックする。このような用紙１２への記入の詳細については、後述する。
【００４９】
利用者が「送信」マークをチェックすると、ペン１１と第１の携帯電話１３とは、Bluetooth規格で規定されたＤＵＮ（Dial Up Network） Profileを使用して通信を行う。具体的には、ペン１１は、第１の携帯電話１３とペアリングされており、無線通信可能な状態にある。ペン１１は、この状態で、第１の携帯電話１３とBluetooth通信を開始する。ペン１１は、モデムコマンドを第１の携帯電話１３に送り、この第１の携帯電話１３に対して、その内部に格納している電話番号情報を送信する。第１の携帯電話１３は、この電話番号の情報を受信して、電話番号情報により特定された電話番号に発信する。また、発信対象の電話番号は、携帯電話会社のサービスであるデータ通信用電話番号にあらかじめ設定されている。
【００５０】
第１の携帯電話１３は、ＩＳＰサーバー１５２に接続し、ペン１１とＩＳＰサーバー１５２とは、定められた手順で情報交換を行う。これによって、第１の携帯電話１３は、自分が利用する第１の携帯電話通信システム１５０の携帯電話基地局１５１を介して、インターネット１５６に接続する。ペン１１は、第１の携帯電話１３、携帯電話基地局１５１、ＩＳＰサーバー１５２、インターネット１５６を介して、用紙１２にアサインされたアドレス情報をＧＰＬＳサーバー１５４へ送信する
ＧＰＬＳサーバー１５４は、ペン１１のペンＩＤをペン１１から取得し、ＧＰＬＳサーバー１５４に登録されていることを確認する。その後、ＧＰＬＳサーバー１５４は、ペン１１から送られた用紙１２の「アドレス情報」を参照する。ＧＰＬＳサーバー１５４は、このアドレスに定義されたＡＳＨサーバー１５３のＵＲＬをペン１１に返送する。
【００５１】
ペン１１は、ＧＰＬＳサーバー１５４から送られてきたＵＲＬに、ペン１１内部に取り込んだデータ、即ちペン１１のメモリ１１８に格納されたデータを送信する。このデータは、第１の携帯電話１３、第１の携帯電話通信システム１５０、インターネット１５６を介して、ペン１１からＡＳＨサーバー１５３に送信される。ＡＳＨサーバー１５３は、ペン１１から送られてきたデータを分析する。このデータを分析したＡＳＨサーバー１５３は、メッセージの送り先を特定するアドレス情報と、手書きされたメッセージ情報（筆記情報）とを生成する。
【００５２】
ＡＳＨサーバー１５３は、テキストメールを作成した後、メッセージ情報をテキストメールに添付し、第２の携帯電話システム１５５に送信する。第２の携帯電話通信システム１５２は、ＡＳＨサーバー１５３からのメールを受信し、指定されたメールアドレスを有する第２の携帯電話１４にメール配信を行う。第２の携帯電話１４は、ＡＳＨサーバー１５３からメールを受信すると、添付されたイメージ情報を選択して表示する。その結果、ペン１１で用紙１２に筆記した手書きイメージが、指定した第２の携帯電話１４に送られ、表示される。
【００５３】
続いて、図８を用いて、ペン１１を用いた用紙１２への記入について詳細に説明する。図８は、メール送信フォームからなる用紙１２の一例を示す模式図である。
図８に示すように、メール送信フォーム３０は、開始領域３０１、送信先指定領域３０２、メッセージ記入領域３０３、背景色指定領域３０４、ペン色選択領域３０５、送信領域３０６、後送信領域３０７、確認選択領域３０８を有する。
【００５４】
開始領域３０１は、「開始」マークから構成されている。送信先指定領域３０２は、「１」〜「５」の数字マークが印刷された送信先選択領域３０９、「全員」マークの全員選択領域３１０、「自分」マークの自分選択領域３１１から構成されている。メッセージ記入領域３０３は、枠で囲まれた空欄から構成されている。背景色指定領域３０４は、「白」、「黄色」等の文字が印刷されたマークから構成されている。ペン色選択領域３０５は、「標準」、「赤」等の文字が印刷されたマークから構成されている。送信領域３０６は、「送信」のマークから構成されている。後送信領域３０７は、「後で送信」と印刷されたマークから構成されている。確認選択領域３０８は、「確認」マークから構成されている。
【００５５】
利用者は、ペン１１を用いて開始領域３０１をチェックしてメール作成を開始する。それとともに、利用者は、メールを送信する相手を指定するために、メッセージを送りたい相手を、送信先指定領域３０２の中の番号から選び、ペン１１でチェックする。このとき、利用者が送信先選択領域３０９にある全員選択領域３１０をペン１１でチェックしておくと、ＡＳＨサーバー１５３のアプリケーションプログラムは、登録された全員にメッセージを送る。
利用者は、ペン１１を用いて、メールで送りたいメッセージをメッセージ記入領域３０３に筆記する。このとき、利用者は、メッセージの背景に色を設定したい場合、背景色指定領域３０４にある色指定領域をペン１１でチェックすることができる。また、利用者は、送信するメッセージ作成にペンの色を指定したい場合には、ペン色選択領域３０５をペン１１でチェックしてもよい。
【００５６】
利用者は、メッセージを送信するために、送信領域３０６をペン１１でチェックする。その後、メッセージ記入領域３０３に筆記されたデータは、上記のデータ送信後、ＡＳＨサーバー１５３のアプリケーションプログラムによって、指定したペンの色でメッセージが作成される。ペン１１は、送信領域３０６がチェックされると、第１の携帯電話１３を介してネットシステム１５に手書き情報を送信する。
ＡＳＨサーバー１５３は、ペン１１からペンＩＤ、個人情報と、手書き情報を受信すると、送信メールを作成する。具体的には、ＡＳＨサーバー１５３は、メールの送信アドレスを、送信先指定領域３０２にチェックされた情報から登録番号を導出し、ペンＩＤに従って登録されているアドレスに設定する。
【００５７】
ＡＳＨサーバー１５３は、送信者アドレスに、個人情報に設定されているメールアドレスを設定する。メール本文に、メッセージ記入領域３０３に記載したデータの一時保存先としてＵＲＬを挿入する。同時に、メッセージ記入領域３０３に記載したデータを画像データに変換し、メールに添付ファイルとして挿入し、第２の携帯電話１４にメール送信する。
メールを受信した第２の携帯電話１４の利用者は、添付したファイルを表示することでメッセージを参照することができる。また、携帯電話の種類によっては、添付ファイルの参照ができない場合があり、この時はメール本文にあるＵＲＬをアクセスし目的のメッセージを参照することが可能となる。
【００５８】
このようにアドレスを指定して手書きメールを送信するだけでなく、自身に確認のメールを送信することも可能である。具体的には、実際にメッセージを送信する前に、メッセージを確認することもできる。この場合、利用者は、送信先指定領域３０２にある自分選択領域３１１のみをペン１１でチェックし、メッセージを記入して送信する。
ＡＳＨサーバー１５３のアプリケーションは、自分選択領域３１１がチェックされている場合、ペンＩＤで管理している個人情報にあるメールアドレスへ、メッセージを送信する。この場合には、第１の携帯電話１３にメッセージが送られてくる。利用者は、この内容を確認し、携帯電話のメール送信機能を利用して、手書きメッセージをメール送信することができる。具体的には、受信した添付ファイル付きのメールを、所望のメールアドレスに転送することによって、当該メールを最終的に所望の相手に送信することが可能となる。
【００５９】
さらに、自分選択領域３１１と送信先指定領域３０２の登録番号をペン１１でチェックしておくと、登録番号に相当するアドレスにメールが送られると同時に、自分すなわち個人情報で登録したメールアドレスにも同じメールが送信され、実際に送信したメールの確認を行うことができる。さらにまた、利用者は、メールを送信する前に確認選択領域３０８をチェックすることによって、指定したアドレスへのメール送信完了を示す確認メールを受信することもできる。さらにまた、後送信領域３０７をチェックすることによって、ペン１１のメモリ１１８にメールを一時的に保存することもできる。
【００６０】
なお、メール本文にコメントを挿入して利用者に内容を伝えるが、このときに挿入するコメントを、個人情報に設定されているフィードバック言語２１４を参照し、ここに指定された言語とすることで、利用者の必要とする言語でのコメントを送信することが可能となる。
【００６１】
さらに続いて、図９を用いて、ペン１１を用いたＡＳＨサーバー１５３へのアドレス登録について詳細に説明する。図９は、用紙１２のアドレス登録フォームの一例を示す模式図である。
図９に示すように、アドレス登録フォーム３２は、開始領域３２１、アドレス登録・削除領域３２２、登録番号領域３２３、アドレス入力領域３２４、送信領域３２５を有する。
【００６２】
開始領域３２１は、「開始」マークが印刷されている。アドレス登録・削除領域３２２は、「登録」マークの登録領域３２６、「削除」マークの削除領域３２７、「確認」マークの確認領域３２８から構成されている。登録番号領域３２３は、「１」から「５」の数字が印刷されている。アドレス入力領域３２４は、英数文字等の文字マークが印刷されたソフトキーパッドである文字入力領域３２９、ショートカット領域３３０から構成されている。送信領域３２５は、「送信」のマークから構成されている。
【００６３】
利用者は、ペン１１を使って開始領域３２１をチェックし、アドレス登録を開始する。それとともに、利用者は、ペン１１を用いて、アドレス登録・削除領域３２２の登録領域３２６をチェックし、登録番号領域３２３において、登録するアドレスの番号領域をチェックする。さらに、利用者は、登録するメールアドレスを、アドレス入力領域３２４にある文字入力領域３２９を１文字ずつチェックする。また、利用者は、ドメイン名やよく使用する文字列を入力するショートカット領域３３０をチェックし、入力を省略することも可能である。
【００６４】
利用者は、アドレス登録を送信するために、送信領域３２５をペン１１でチェックする。すると、ペン１１は、送信領域３２５がチェックされたことを認識する。ペン１１は、第１の携帯電話１３を介して、ペン１１のメモリ１１８に格納されたペンＩＤ及び個人情報２１０（名前２１１、メールアドレス２１２、フィードバック言語２１４）を読み出し、ＡＳＨサーバー１５３に送信する。それとともに、ペン１１は、第１の携帯電話１３を介して、開始領域３２１から送信領域３２５までにチェックしたデータをＡＳＨサーバー１５３に送る。
【００６５】
ＡＳＨサーバー１５３のアプリケーションプログラムは、このペン１１からのデータを取得し、ペンＩＤに従って個人情報２５２中に、ペン１１からのデータに含まれる個人情報２１０を設定する。その後、このアプリケーションプログラムは、各ストロークデータ（手書き情報）の座標値と、用紙上に定義した領域の座標値に基づいて、ペン１１がチェックした領域を算出する。
ＡＳＨサーバー１５３のアプリケーションプログラムは、アドレス登録・削除領域３２２の登録領域３２６にチェックされたことを導出し、利用者が登録を指示したと判定する。引き続き、ＡＳＨサーバー１５３のアプリケーションプログラムは、登録番号領域３２３にチェックされたストロークデータから、利用者が指定する登録番号を導出する。
【００６６】
さらに、ＡＳＨサーバー１５３のアプリケーションプログラムは、アドレス入力領域３２４にチェックされたストロークデータの領域判定を行う。アプリケーションプログラムは、領域に定義された文字を確定し、時系列に並んだストロークがチェックした領域列から文字列を導出する。アプリケーションプログラムは、指定された登録番号に、導出した文字列をメールアドレスとして登録する。利用者は、このような一連の操作を繰り返し、必要なアドレスの登録を行う。
【００６７】
このようなアドレス登録フォームを用いて、利用者は、アドレス登録の確認も行うことができる。アドレス登録時、アドレス登録・削除領域３２２にある確認領域３２８をペン１１でチェックし、続けて送信領域３２５をチェックする。ＡＳＨサーバー１５３のアプリケーションプログラムは、確認領域３２８にチェックがあった場合、ペン１１から読み出したペンＩＤに相当する個人情報のメールアドレスへ登録したアドレスをメールで送信する。利用者は、受信したメールを参照することにより、登録を行ったアドレスの確認を行うことが出来る。
【００６８】
また、アドレス登録を部分的に確認する場合には、利用者は、アドレス登録時、アドレス登録・削除領域３２２にある確認領域３２８をペン１１でチェックする。利用者は、続けて登録番号領域３２３に確認したい番号をチェックし、送信領域３２５をチェックする。
ＡＳＨサーバー１５３のアプリケーションプログラムは、確認領域３２８にチェックがあることを確認後、登録番号領域３２３のチェックされた番号から登録番号を導出する。このアプリケーションプログラムは、ペン１１から読み出したペンＩＤで登録されたアドレスの内、導出した登録番号に登録したアドレスを、個人情報のメールアドレスへ登録したアドレスへメールで送信する。利用者は、受信したメールを参照することにより、登録を行ったアドレスの確認を行うことができる。
また、登録したアドレスを削除する場合は、登録と同様な方法で、登録領域３２６の代わりに削除領域３２７をペンでチェックし、削除したい登録番号をチェックし、送信領域３２５をチェックする。このとき、複数の登録番号をチェックすれば、チェックした登録アドレスを削除する。
【００６９】
なお、登録、削除、確認等の動作について、メール本文にコメントを挿入して利用者に内容を伝えるが、このときに挿入するコメントを、個人情報に設定されているフィードバック言語２１４を参照し、ここに指定された言語とすることで、利用者の必要とする言語でのコメントを送信することが可能となる。
【００７０】
以上のように、本発明に係るシステム１においては、メッセージ等をペン１１によって手書きし、この手書きされたメールを送信相手の第２の携帯電話１４に対して送信することができる。また、システム１は、第１の携帯電話１３がインターネット１５６に接続できる場所であれば、どこからでも利用することが可能である。従って、極端に進んだデジタル化により失われつつある本来のコミュニケーションを取り戻すことができ、誰もが簡単に、どこからでも気持ちを伝えることの出来るコミュニケーションツールを提供することができる。
【００７１】
さらに、本発明に係るシステム１においては、パソコンを使用することなく、ペン１１、用紙１２、第１の携帯電話１３があれば、どこからでも、いつでも、簡単にメッセージを送ることができる。またさらに、第１の携帯電話１３に特別なソフトウェアを搭載する必要がなく、利用者の利便性をさらに向上させることが可能となる。
【００７２】
またさらに、本発明に係るシステム１によれば、ＰＣを使用することなく、普段行っている紙にメッセージを書くという方法で、手書きのメッセージをメール送信することができる。そのため、ＰＣに不慣れな人でも容易に利用でき、活字では伝わらない手書きの持つ味わいを伝えることができる。また、携帯電話に特別なアプリケーションを搭載することも必要ないため、利用者の利便性向上の効果もある。
【００７３】
発明の実施の形態４．
発明の実施の形態４において、本発明に係るシステムの他の具体構成について説明する。まず、図１０を用いて、本実施形態におけるシステムの全体構成について説明する。図１０は、本実施形態におけるシステムの具体構成の一例を示す模式図である。また、図１０においてシステム１と同様の装置については同じ符号を付し、ここでは、その詳細な説明を省略する。
【００７４】
図１０に示すように、本実施形態におけるにおけるシステム５０は、ペン１１、用紙１２、第１の携帯電話１３、第２の携帯電話１４、第１の携帯電話通信システム１５０、携帯電話基地局１５１、第２の携帯電話通信システム１５５、ＡＳＨサーバー１５３、ＩＳＰサーバー１５２、インターネット１５６に加え、ＥＰＬＳ（Enterprise Paper Look-up Service）サーバー５１１、ローカルエリアネットワーク５１２、ゲートウェイ５１３を備えている。
すなわち、本実施形態におけるネットシステム５１は、第１の携帯電話通信システム１５０、携帯電話基地局１５１、第２の携帯電話通信システム１５５、ＡＳＨサーバー１５３、ＩＳＰサーバー１５２、インターネット１５６に加え、ＥＰＬＳサーバー５１１、ローカルエリアネットワーク５１２、ゲートウェイ５１３を有する。
【００７５】
ネットシステム５１のＡＳＨサーバー１５３、ＩＳＰサーバー１５２、ＥＰＬＳサーバー５１１は、ローカルエリアネットワーク５１２に接続されている。このローカルエリアネットワーク５１２は、ゲートウェイ５１３を介して、インターネット１５６に接続されている。また、ペン１１に関する各種情報は、ＧＰＬＳサーバー１５４の場合と同様に、事前にＥＰＬＳサーバー５１１に登録されている。
【００７６】
次に、本実施形態におけるシステム５０の動作処理について説明する。
本実施形態のシステム５０において、システム１と同様に、利用者が手書きメールを作成すると、ペン１１は、第１の携帯電話１３と通信を開始する。第１の携帯電話１３は、ペン１１とＤＵＮ Ｐｒｏｆｉｌｅによって通信を行い、ペン１１からのモデムコマンドによって、指定された電話番号に発信する。
この第１の携帯電話１３は、ＩＳＰサーバー１５２に接続して定められた手順で情報交換を行う。これによって、第１の携帯電話１３は、自分が利用する第１の携帯電話通信システム１５０の携帯電話基地局１５１を介して、ローカルエリアネットワーク５１２に接続する。ペン１１は、第１の携帯電話１３、携帯電話基地局１５１、ＩＳＰサーバー１５２、ローカルエリアネットワーク５１２を介して、用紙１２にアサインされた「アドレス情報」をＥＰＬＳサーバー５１１へ転送する。
【００７７】
ＥＰＬＳサーバー５１１は、ペン１１から取得したペンＩＤが登録されていることを確認する。その後、ＥＰＬＳサーバー５１１は、ペン１１から送られた用紙１２の「アドレス情報」を参照する。ＥＰＬＳサーバー５１１は、このアドレスに定義されたＡＳＨサーバー１５３のＵＲＬをペン１１に返送する。
ペン１１は、ＥＰＬＳサーバー５１１から送られてきたＵＲＬに、ペン１１内部に取り込んだデータを送信する。このデータは、第１の携帯電話１３、第１の携帯電話通信システム１５０、ローカルエリアネットワーク５１２を介して、ペン１１からＡＳＨサーバー１５３に送信される。ＡＳＨサーバー１５３は、ペン１１から送られてきたデータを分析する。このデータを分析したＡＳＨサーバー１５３は、メッセージを送るアドレス情報と、手書きされたメッセージ情報（手書き情報）とを作成する。
【００７８】
ＡＳＨサーバー１５３は、テキストメールを作成した後、メッセージ情報をテキストメールに添付する。このテキストメールは、ローカルエリアネットワーク５１２、ゲートウェイ５１３を介して、インターネット１５６に配信される。第２の携帯電話通信システム１５５は、ＡＳＨサーバー１５３からインターネット１５６に配信されたメールを受信し、指定されたメールアドレスを有する第２の携帯電話１４にメール配信を行う。第２の携帯電話１４は、ＡＳＨサーバー１５３からメールを受信すると、添付されたイメージ情報を選択して表示する。その結果、ペン１１で用紙１２に筆記した手書きイメージが、指定した第２の携帯電話１４に送られ、表示される。
【００７９】
このように、本実施形態にけるシステム５０では、ＥＰＬＳサーバー５１１に登録されたペン１１のみがネットシステム５１の利用が可能である。そのため、利用範囲を限定したサービスを提供することができるという特徴がある。この場合、利用する携帯電話会社を変更すると、変更した携帯電話会社のＥＰＬＳサーバー５１１にペン１１の登録を行う必要がある。
【００８０】
発明の実施の形態５．
発明の実施の形態５において、本発明に係るシステムの他の具体構成について説明する。まず、図１１を用いて、本実施形態におけるシステムの全体構成について説明する。図１１は、本実施形態におけるシステムの具体構成の一例を示す模式図である。また、図１１においてシステム１，５０と同様の装置については同じ符号を付し、ここでは、その詳細な説明を省略する。
【００８１】
図１１に示すように、本実施形態におけるにおけるシステム６０は、ペン１１、用紙１２、第１の携帯電話１３、第２の携帯電話１４、第１の携帯電話通信システム１５０、携帯電話基地局１５１、第２の携帯電話通信システム１５５、ＡＳＨサーバー１５３、ＧＰＬＳサーバー１５４、ＩＳＰサーバー１５２、インターネット１５６、ローカルエリアネットワーク５１２、ゲートウェイ５１３を備えている。
すなわち、本実施形態におけるネットシステム６１は、第１の携帯電話通信システム１５０、携帯電話基地局１５１、第２の携帯電話通信システム１５５、ＡＳＨサーバー１５３、ＧＰＬＳサーバー１５４、ＩＳＰサーバー１５２、インターネット１５６、ローカルエリアネットワーク５１２、ゲートウェイ５１３を有する。
【００８２】
ネットシステム６１のＩＳＰサーバー１５２、ＡＳＨサーバー１５３は、ローカルエリアネットワーク５１２に接続されている。このローカルエリアネットワーク５１２は、ゲートウェイ５１３を介してインターネット１５６に接続されている。さらに、ＧＰＬＳサーバー１５４は、インターネット１５６に接続されている。
【００８３】
次に、本実施形態におけるシステム６０の動作処理について説明する。
本実施形態のシステム６０においても、システム１，５０と同様に、利用者が手書きメールを作成すると、ペン１１は、第１の携帯電話１３と通信を始める。第１の携帯電話１３は、ペン１１とＤＵＮ Ｐｒｏｆｉｌｅによって通信を行い、ペン１１からのモデムコマンドによって、指定された電話番号に発信する。
この第１の携帯電話１３は、ＩＳＰサーバー１５２に接続して定められた手順で情報交換を行う。これによって、第１の携帯電話１３は、自分が利用する第１の携帯電話通信システム１５０の携帯電話基地局１５１を介して、ローカルエリアネットワーク５１２に接続する。ペン１１は、第１の携帯電話１３、携帯電話基地局１５１、ＩＳＰサーバー１５２、ローカルエリアネットワーク５１２、ゲートウェイ５１３を介して、用紙１２にアサインされた「アドレス情報」をＧＰＬＳサーバー１５４へ転送する。
【００８４】
ＧＰＬＳサーバー１５４は、ペン１１から取得したペンＩＤが登録されていることを確認する。その後、ＧＰＬＳサーバー１５４は、ペン１１から送られた用紙１２の「アドレス情報」を参照する。ＧＰＬＳサーバー１５４は、このアドレスに定義されたＡＳＨサーバー１５３のＵＲＬをペン１１に返送する。
ペン１１は、ＧＰＬＳサーバー１５４から送られてきたＵＲＬに、ペン１１内部に取り込んだデータを送信する。このデータは、第１の携帯電話１３、第１の携帯電話通信システム１５０、ローカルエリアネットワーク５１２を介して、ペン１１からＡＳＨサーバー１５３に送信される。ＡＳＨサーバー１５３は、ペン１１から送られてきたデータを分析する。このデータを分析したＡＳＨサーバー１５３は、メッセージを送るアドレス情報と、手書きされたメッセージ情報とを作成する。
【００８５】
ＡＳＨサーバー１５３は、テキストメールを作成した後、メッセージ情報をテキストメールに添付する。このテキストメールは、ローカルエリアネットワーク５１２、ゲートウェイ５１３を介して、インターネット１５６に配信される。第２の携帯電話通信システム１５５は、ＡＳＨサーバー１５３からインターネット１５６に配信されたメールを受信し、指定されたメールアドレスを有する第２の携帯電話１４にメール配信を行う。第２の携帯電話１４は、ＡＳＨサーバー１５３からメールを受信すると、添付されたイメージ情報を選択して表示する。その結果、ペン１１で用紙１２に筆記した手書きイメージが、指定した第２の携帯電話１４に送られ、表示される。
【００８６】
このように、本実施形態におけるシステム６０では、ＧＰＬＳサーバー１５４を利用するため、個別にペン１１を登録する必要がなく、データ処理を行うＡＳＨサーバー１５３が、ローカルエリアネットワーク５１２に接続される。そのため、利用する携帯電話会社ごとにシステム６０を構築することができる。それ故、利用者は利用する携帯電話を変更しても、システム６０を利用することができる。
【００８７】
発明の実施の形態６．
発明の実施の形態６においては、上記のシステムの他の処理例について説明する。図１２に本実施形態にけるシステムの概略図が示されている。以下、適宜図１０を参照しながらシステム５０を用いて具体的に説明するが、この動作処理を行うシステムの具体構成は、上記システム１，５０，６０のいずれであってもよい。
本実施形態におけるシステム５０は、発明の実施の形態４と同様に、利用者は、ペン１１を使って、用紙１２にメールで送りたいメッセージを手書きする。そして、利用者は、ペン１１で用紙１２の「送信」マークをチェックする。その後、ペン１１は、インターネットに接続し、ＥＰＬＳサーバー５１１との間でデータ通信を行う。
ペン１１は、ＥＰＬＳサーバー５１１から送られてきたＵＲＬに、ペン１１内部に取り込んだデータをＡＳＨサーバー１５３に送信する。ＡＳＨサーバー１５３は、ペン１１から送られてきたデータを分析する。ＡＳＨサーバー１５３は、メッセージを送るアドレス情報として第１の携帯電話１３を指定し、手書きされたメッセージ情報とを作成する。
【００８８】
ＡＳＨサーバー１５３は、テキストメールを作成した後、メッセージ情報をテキストメールに添付する。このテキストメールは、ローカルエリアネットワーク５１２に配信されＩＳＰサーバー１５２、携帯電話基地局１５１を通じて第１の携帯電話１３に配信される。利用者は、受信した手書きイメージを確認する。
同時に、同メールは、ローカルエリアネットワーク５１２、ゲートウェイ５１３を介して、インターネット１５６に配信される。第２の携帯電話通信システム１５５は、インターネット１５６を通じてＡＳＨサーバー１５３からメールを受信し、指定されたメールアドレスを有する第２の携帯電話１４にメール配信を行う。送信したい相手である第２の携帯電話１４は、発明の実施の形態４と同様に、添付されたイメージ情報を選択して表示する。
【００８９】
このように、送信したい相手である第２の携帯電話１４とともに、第１の携帯電話１３にも、第１の携帯電話１３のメール機能を使用して配信することができる。
【００９０】
発明の実施の形態７．
発明の実施の形態７においては、アドレス登録の他の一例について説明する。図１３の模式図に、このアドレス登録を行なうためのメール画面例が示されている。図１３に示すように、本実施形態におけるアドレス登録画面３４になるように、入力すると、電子メールでＡＳＨサーバー１５３にその内容が送信される。ＡＳＨサーバー１５３は、ペンＩＤに従って個人情報２５２、登録メールアドレス２５３を設定する。
このとき、メールのSubject（件名）に、Subscribe（登録）が設定され、メール本文には、ペンＩＤ、名前、メールアドレス、フィードバック言語、登録アドレスが記載されている。このような内容が記載されたメールは、指定のアドレスに送信される。図１３の例においては、このメールは、Application@jjj.ne.jpに送信される。
【００９１】
ＡＳＨサーバー１５３のアプリケーションは、このメールを受信すると、Subjectをチェックする。このアプリケーションは、SubjectがSubscribeであれば、本文に記載されている内容に従い、発明の実施の形態１と同様に、ペンＩＤごとに、名前、メールアドレス、フィードバック言語、アドレスを登録する。
【００９２】
ＡＳＨサーバー１５３に登録されたアドレスを削除する場合には、メールのSubject（件名）に、Unsubscribe（削除）が設定される。それとともに、メール本文に登録時と同様に、少なくともペンＩＤが記載され、削除するアドレス番号が記載される。ＡＳＨサーバー１５３のアプリケーションは、このメールを受信すると、Subject（件名）のUnsubscribe（削除）を確認する。このアプリケーションは、メールで指定されたペンＩＤと同じペンＩＤに登録されているアドレスの内、メール本文で指定されたアドレス番号に一致する登録アドレスを削除する。
【００９３】
なお、Subject、本文に記載される文字列は、この例に限らず、この内容を解釈するアプリケーションが扱えるものであればよい。
【００９４】
発明の実施の形態８．
発明の実施の形態８においては、メール送信フォームの他の例について説明する。図１４に、本実施形態におけるメール送信フォームの一例が示されている。図１４に示されたメール送信フォーム３５は、複数のメッセージをまとめて送ることができるフォームである。具体的には、メール送信フォーム３５は、開始領域３０１、送信先指定領域３０２、メッセージ記入領域３０３、背景色指定領域３０４、ペン色選択領域３０５、送信領域３０６、後送信領域３０７、確認選択領域３０８を有する。ここで、これらの説明は省略する。
【００９５】
本実施形態におけるメール送信フォーム３５は、メッセージを手書きした後、送信領域３０６の代りに、後送信領域３０７を使用する。この後送信領域３０７をペン１１でチェックした場合、ペン１１は、すぐにデータ送信を行わず、手書き情報をペン１１内部に保持、即ちメモリ１１８に格納しておく。利用者は、引き続き新しい用紙に、開始領域３０１をペン１１でチェックしてメール作成を行い、必要な分、その作業を繰り返す。その後、利用者は、実際にメッセージを送りたいときに、送信領域３０６をペン１１でチェックする。
【００９６】
ペン１１は、送信領域３０６のチェックに応じて、メール送信フォーム３０で説明したように、ＡＳＨサーバー１５３にデータ送信を行う。ＡＳＨサーバー１５３のアプリケーションは、受信したデータを、開始領域３０１のチェックにより、一つずつのデータに分割し、順次メッセージのメール送信を実施する。
【００９７】
図１５に、メール送信フォーム３０，３５のデータフォームの一例が示されている。図１５（ａ）に示すように、メール送信フォーム３０の場合には、１個のメッセージごとに送信領域３０６をチェックして送信している。そのため、このデータフォームは、ストロークデータ３５１と開始領域３０１のチェックを示す開始データ３５２とが一対となって送信されている。
図１５（ｂ）に示すように、メール送信フォーム３５の場合には、複数のメッセージを一括で送信している。そのため、このデータフォームは、複数のストロークデータ３５１の間に複数の開始データ３５２が含められた状態で時系列に送信される。従って、この複数のメッセージを一括送信する機能を利用することによって、データを分割することが可能となる。
【００９８】
図１６に、本実施形態におけるメール送信フォームの他の一例が示されている。このメール送信フォーム３６は、メール送信用紙３６１と、アドレス登録用紙３６２が一対となって作成されたものである。すなわち、メール送信フォーム３６は、物理的に別個のメール送信用紙３６１、アドレス登録用紙３６２を有する。
具体的には、メール送信用紙３６１は、開始領域３０１、送信先指定領域３０２、メッセージ記入領域３０３、背景色指定領域３０４、ペン色選択領域３０５、後送信領域３０７、確認選択領域３０８を有する。これに対して、アドレス登録用紙３６２は、開始領域３２１、アドレス登録・削除領域３２２、登録番号領域３２３、アドレス入力領域３２４、送信領域３２５を有する。ここで、これらの説明は省略する。
【００９９】
メール送信フォーム３６においては、メール送信用紙３６１に、メール作成選択領域３６３が設けられている。このメール作成選択領域３６３をチェックした場合には、アドレス登録ではなく、メール作成のためのメール送信フォーム３６が用いられる。また、メール送信フォーム３６においては、手書き情報をメッセージ送信するときにチェックする送信領域と、アドレス登録を行うときにペン１１でチェックする送信領域とが共通で使用される。具体的には、アドレス登録用紙３６２に設けられた送信領域３２５をチェックすることによって、メール送信、アドレス登録が行われる。
【０１００】
図１７に、本実施形態におけるメール送信フォームの他の一例が示されている。このメール送信フォーム３７は、図１６に示されたメール送信用紙３６１とアドレス登録用紙３６２が１つの用紙上に作成されたものであり、各チェック領域が混在した状態で配置されている。具体的には、メール送信フォーム３７は、メール作成選択領域３７１、開始領域３０１、送信先指定領域３０２、メッセージ記入領域３０３、背景色指定領域３０４、ペン色選択領域３０５、後送信領域３０７、確認選択領域３０８を有する。メール送信フォーム３７は、これらに加えて、開始領域３０１、アドレス登録・削除領域３２２、登録番号領域３０２、アドレス入力領域３２４、送信領域３２５を有する。
【０１０１】
このメール送信フォーム３７においては、メール作成選択領域３７１とアドレス登録・削除領域３２２のどちらがチェックされる。これによって、メール作成とアドレス登録の機能が切り替えられて使用される。なお、メール作成選択領域３７１以外については、上記の各チェック領域と同様である。
【０１０２】
図１８に、本実施形態におけるメール送信フォームの他の一例が示されている。このメール送信フォーム３８は、アドレス登録を行った相手以外にメッセージを送るフォームである。具体的には、メール送信フォーム３８は、開始領域３８１、送信領域３８２、メッセージ記入領域３０３、背景色指定領域３０４、ペン色選択領域３０５、アドレス入力領域３２４を有する。
【０１０３】
このメール送信フォーム３８においては、利用者は、開始領域３８１をチェックした後、メッセージ記入領域３０３に必要なメッセージをペン１１で筆記する。利用者は、背景色指定領域３０４、ペン色選択領域３０５などを必要に応じてチェックする。その後、利用者は、アドレス入力領域３２４を使って、メッセージを送る相手のメールアドレスをチェックし、送信領域３８２をチェックする。
【０１０４】
このメール送信フォーム３８を使用することによって、アドレス登録を行っていない相手に、手書き情報をメッセージ送信することができる。また、メール送信フォーム３８は、単独でも、また登録フォーム等と一緒に使用することができ、その利便性を向上させることができる。なお、開始領域３８１、送信領域３８２以外については、上記の各チェック領域と同様である。
【０１０５】
発明の実施の形態９．
発明の実施の形態９においては、携帯電話１４に替えて、メッセージの送信先がＦＡＸ端末である場合について説明する。図１９に、本実施形態におけるシステムの一構成例が示されている。図１９に示すように、本実施形態におけるシステム７０は、発明の実施の形態３，４，５と同様に、ペン１１、用紙１２、第１の携帯電話１３、ネットシステム１５、ＡＳＨサーバー１５３を有する。システム７０は、これらに加えて、ＦＡＸモデム７１、電話網７２、ＦＡＸ端末７３を有する。
ＦＡＸモデム７１は、ＡＳＨサーバー１５３に接続されるとともに、電話網７２に接続されている。この電話網７２には、ＦＡＸ端末７３が接続され、ＦＡＸ端末７３は電話網７２を介して、ＡＳＨサーバー１５３と通信を行う。
【０１０６】
このようなシステム７０は、次のように手書きメールの送受信を行う。
利用者は、ペン１１を使用して用紙１２に筆記すると、ペン１１は、携帯電話１３を介して、この筆記された手書き情報をネットシステム１５に送信する。ネットシステム１５は、内部のＡＳＨサーバー１５３にデータを送るようペン１１に指示する。ペン１１は、この指示に応じて、手書き情報をＡＳＨサーバー１５３に送る。
ＡＳＨサーバー１５３上で操作するアプリケーションプログラムは、ペン１１から手書き情報を受信すると、手書き情報をファクシミリで受信できる情報に変換する。このアプリケーションプログラムは、ＦＡＸモデム７１、電話網７２を介して、指定されたＦＡＸ端末７３にファクシミリ送信する。
【０１０７】
図２０に、本実施形態におけるＦＡＸ送信フォームの一例が示されている。
図２０に示すように、ＦＡＸ送信フォーム８０は、開始領域８０１、ＦＡＸ作成領域８０２、送信先登録・削除領域８０３、確認領域８０４、ＦＡＸ登録番号領域８０５、ＦＡＸ番号入力領域８０６、メッセージ記入領域８０７、送信領域８０８を有する。
【０１０８】
開始領域８０１は、「開始」マークから構成されている。ＦＡＸ作成領域８０２は、枠で囲まれた空欄から構成されている。送信先登録・削除領域８０３は、「登録」マークの登録領域８０９、「削除」マークの削除領域８１０から構成されている。確認領域８０４は、「確認」と記載されたマークから構成されている。ＦＡＸ登録番号領域８０５は、「１」から「５」の数字マークから構成されている。ＦＡＸ番号入力領域８０６は、数字マーク、「＊」、「＃」が印刷されたソフトキーパッドから構成されている。メッセージ記入領域８０７は、枠で囲まれた空欄から構成されている。送信領域８０８は、「送信」のマークから構成されている。
【０１０９】
発明の実施の形態３ではメール送信フォーム３０上でメールアドレスが入力されたが、本実施形態においては、それ替わって、ＦＡＸ番号を入力するＦＡＸ番号入力領域８０６からＦＡＸ番号が入力される。このＦＡＸ番号は、上記のアドレス登録と同様に、送信先登録・削除領域８０３の登録領域８０９、ＦＡＸ登録番号領域８０５から登録される。また、送信先登録・削除領域８０３の削除領域８１０をチェックすることによって、すでに登録されたＦＡＸ番号を削除することもできる。またさらに、確認領域８０４によって、メール送信フォームの場合と同様に、メッセージ確認機能が実現される。
【０１１０】
このように、どこからでも、いつでも手元からファクシミリを送ることがで、スムーズな情報伝達が可能になる。
また、ペン１１のペーパールックアップ機能によって、用紙１２の座標（アドレス）を指定するアプリケーションがあるサーバーを特定することができる。そのため、上記の各システム１，５０，６０と同じシステムとして構築することも可能である。
これにより、両方の用紙（フォーム）を同じペン１１、第１の携帯電話１３で使用することが可能となり、必要に応じメールやファクシミリでの情報伝達が可能になる。
【０１１１】
なお、本発明の実施の形態においては、ペン１１と携帯電話１３の通信にBluetooth通信を使用したが、特にこれに限定するものではなく、赤外線通信やＵＳＢ接続など有線、無線多くの方式が利用可能である。これらの方式を利用しても、本発明の効果は十分に発揮される。
【０１１２】
またなお、本実施形態においては、用紙１２にアノト方式のデジタイジング方式が採用されているが、これに限らず、同様のことはその他の方式のデジタイザーと呼ばれる技術を使っても実現は可能である。ただし、何かしらの装置を必要とするので、可搬性などで本実施形態と同等の効果が得られるかどうかは定かではない。
【図面の簡単な説明】
【０１１３】
【図１】本発明に係る伝送システムの概略構成の一例を示す模式図である。
【図２】本発明に係る伝送システムの概略構成の一例を示す模式図である。
【図３】本発明に係る伝送システムの具体構成の一例を示す模式図である。
【図４】本発明に係る伝送システムのデジタルペンの構成例を示す図である。
【図５】本発明に係る伝送システムのデジタルペンが保持する情報の一例を示す模式図である。
【図６】本発明に係る伝送システムの用紙の一例を示す図である。
【図７】本発明に係る伝送システムのＡＳＨサーバーが管理する情報の一例を示す模式図である。
【図８】本発明に係る伝送システムの用紙の一例を示す図である。
【図９】本発明に係る伝送システムの用紙の一例を示す図である。
【図１０】本発明に係る伝送システムの具体構成の一例を示す模式図である。
【図１１】本発明に係る伝送システムの具体構成の一例を示す模式図である。
【図１２】本発明に係る伝送システムの概略構成の一例を示す模式図である。
【図１３】本発明に係る伝送システムのメール書式の一例を示す図である。
【図１４】本発明に係る伝送システムの用紙の一例を示す図である。
【図１５】本発明に係る伝送システムにおける通信データ一例を示す模式図である。
【図１６】本発明に係る伝送システムの用紙の一例を示す図である。
【図１７】本発明に係る伝送システムの用紙の一例を示す図である。
【図１８】本発明に係る伝送システムの用紙の一例を示す図である。
【図１９】本発明に係る伝送システムの具体構成の一例を示す模式図である。
【図２０】本発明に係る伝送システムの用紙の一例を示す図である。
【符号の説明】
【０１１４】
１…手書きメール伝送システム、１１…デジタルペン、１２…用紙、
１３…第１の携帯電話、１４…第２の携帯電話、１５…ネットシステム
１５０…第１の携帯電話通信システム、１５１…携帯電話基地局、
１５２…ＩＳＰサーバー、１５３…ＡＳＨサーバー、１５４…ＧＰＬＳサーバー、
１５５…第２の携帯電話通信システム、１５６…インターネット
５０…手書きメール伝送システム、５１…ネットシステム
５１１…ＥＰＬＳサーバー、５１２…ローカルエリアネットワーク、
５１３…ゲートウェイ、
６０…手書きメール伝送システム、６１…ネットシステム
７０…手書きメール伝送システム、７１…ＦＡＸモデム、７２…電話網、
７３…ＦＡＸ端末
【図１】
2006031357.tif 000003
【図２】
2006031357.tif 000004
【図３】
2006031357.tif 000005
【図４】
2006031357.tif 000006
【図５】
2006031357.tif 000007
【図６】
2006031357.tif 000008
【図７】
2006031357.tif 000009
【図８】
2006031357.tif 000010
【図９】
2006031357.tif 000011
【図１０】
2006031357.tif 000012
【図１１】
2006031357.tif 000013
【図１２】
2006031357.tif 000014
【図１３】
2006031357.tif 000015
【図１４】
2006031357.tif 000016
【図１５】
2006031357.tif 000017
【図１６】
2006031357.tif 000018
【図１７】
2006031357.tif 000019
【図１８】
2006031357.tif 000020
【図１９】
2006031357.tif 000021
【図２０】
2006031357.tif 000022